(57)【特許請求の範囲】
【請求項１】
受託番号ＦＥＲＭ  ＢＰ−２２３９３で寄託されている、ブロッコリ植物の種子。
【請求項２】
受託番号ＦＥＲＭ  ＢＰ−２２３９３で寄託されている種子から生育された、ブロッコリ植物。
【請求項３】
請求項２記載のブロッコリ植物の後代系統を含み、
前記後代系統は、下記（１）〜（１０）の形質を有する、ブロッコリ植物：
（１）葉身のアントシアニン着色が無い；
（２）葉柄のアントシアニン着色が無い；
（３）花らい球のアントシアニン着色が弱い；
（４）葉の数が多い；
（５）茎の長さが短い；
（６）花らい球のしまりが固い；
（７）葉の切れ込みが多い；
（８）葉の切れ込みが深い；
（９）収穫期が晩生である；
（１０）自家不和合性遺伝子として、ＳＲＫ１８遺伝子およびＳＬＧ１８遺伝子を有する。
【請求項４】
請求項２または３記載のブロッコリ植物の雑種第１代系統を含む、ブロッコリ植物。
【請求項５】
請求項２から４のいずれか一項に記載のブロッコリ植物の部分。
【請求項６】
請求項２から４のいずれか一項に記載のブロッコリ植物の種子。
【請求項７】
請求項２または３記載のブロッコリ植物を自殖させる自殖工程を含む、ブロッコリ植物の製造方法。
【請求項８】
請求項２または３記載のブロッコリ植物と、他のブロッコリ植物とを交雑する交雑工程を含む、ブロッコリ植物の製造方法。
【請求項９】
種子を採種する採種工程を含む、請求項７または８記載のブロッコリ植物の製造方法。
【発明の詳細な説明】
【技術分野】
【０００１】
本発明は、ブロッコリ植物に関する。
【背景技術】
【０００２】
ブロッコリ植物は、１２月から１月にかけて収穫を行なう、冬どり栽培が行なわれる。しかしながら、冬どり栽培において、ブロッコリ植物は、生育が緩慢となりやすく、また、アントシアニンの着色が発生することが多い。また、アントシアニンが着色したブロッコリ植物は、商品性が低いという問題がある。
【０００３】
このため、より形質の優れたブロッコリ植物が求められている。
【発明の概要】
【発明が解決しようとする課題】
【０００４】
そこで、本発明は、新たなブロッコリ植物の提供を目的とする。
【課題を解決するための手段】
【０００５】
前記目的を達成するために、本発明のブロッコリ植物は、受託番号ＦＥＲＭ  ＢＰ−２２３９３で特定されるブロッコリ植物を含む。
【０００６】
本発明のブロッコリ植物の製造方法は、前記本発明のブロッコリ植物を自殖させる自殖工程を含む。
【０００７】
本発明のブロッコリ植物の製造方法は、前記本発明のブロッコリ植物と、他のブロッコリ植物とを交雑する交雑工程を含む。
【発明の効果】
【０００８】
本発明によれば、新たなブロッコリ植物を提供できる。
【図面の簡単な説明】
【０００９】
【図１】図１は、ブロッコリ植物の茎の数および茎の長さの例を示す模式図である。
【図２】図２は、ブロッコリ植物の葉の姿勢の例を示す模式図である。
【図３】図３は、ブロッコリ植物の花らい球の分枝の長さ、花らい球の縦断面の形、および花らい球のこぶの凹凸の例を示す模式図である。
【図４】図４は、ブロッコリ植物の花らい球の分枝の長さ、花らい球の大きさ、花らい球の茎の長さ、および花らい球の茎の太さの例を示す模式図である。
【図５】図５は、ブロッコリ植物の葉の切れ込みの深さの例を示す模式図である。
【図６】図６は、収穫期における寄託系統を示す写真である。
【発明を実施するための形態】
【００１０】
＜ブロッコリ植物＞
本発明のブロッコリ植物は、受託番号ＦＥＲＭ  ＢＰ−２２３９３で特定されるブロッコリ植物またはその後代系統を含む。本発明のブロッコリ植物は、受託番号ＦＥＲＭ  ＢＰ−２２３９３で特定されるブロッコリ植物またはその後代系統を含むことが特徴であり、その他の構成および条件は、特に制限されない。
【００１１】
本発明において、「ブロッコリ植物」は、アブラナ属（Brassica）のヤセイカンラン種（Brassica oleracea）のブロッコリ変種（Brassica oleracea var. italica）に分類される植物である。前記ブロッコリ植物は、例えば、Brassica oleracea var. italica（Brassica oleracea L. convar. Botrytis (L.) Alef. var. italica）、Brassica oleracea var. cymosa Duch.（Brassica oleracea L. convar. botrytis (L.) Alef. var. cymosa Duch.）があげられる。前記ブロッコリ植物は、例えば、近縁種または野生種との交雑種でもよい。
【００１２】
本発明において、「栽培用ブロッコリ植物」、「栽培用ブロッコリ品種」、または「栽培用ブロッコリ」は、ヒトが栽培し、栽培学的に優れたブロッコリ植物またはその品種、育種系統または栽培品種である。「栽培用ブロッコリ植物」、「栽培用ブロッコリ品種」、または「栽培用ブロッコリ」は、それらの交雑種、または他のブロッコリ変種との、または他のヤセイカンラン種との交雑種であってもよい。
【００１３】
本発明において、「植物」は、植物全体を示す植物個体および前記植物個体の部分（植物の部分）のいずれの意味であってもよい。前記「植物」は、例えば、植物細胞、植物プロトプラスト、植物体を再生可能な植物細胞培養物または組織培養物、植物カルス、植物塊（plant clumps）、植物または植物の部分から単離した植物細胞、葉、花粉、胚、子葉、胚軸、根、根の先端（根端）、葯、雌しべ、花、子房（ovary）、胚珠、種子、果実、茎、苗等があげられる。前記植物個体の部分は、例えば、器官、組織、細胞または栄養繁殖体等があげられ、いずれでもよい。前記器官は、例えば、花弁、花冠、花、葉、種子、果実、茎、根等があげられる。前記組織は、例えば、前記器官の部分である。具体例として、前記植物個体の部分は、小胞子（microspore）、花、花芽、雌しべ、葯、花粉、子房（ovary）、胚、胚珠、胚軸、胚嚢、卵細胞、挿し木、根、根端、幹、茎、葉、葉柄、葉髄、子葉、細胞、分裂組織細胞（meristematic cell）、プロトプラスト、種子等があげられる。前記花粉は、成熟した花粉でも、未成熟の花粉でもよい。前記植物個体の部分は、例えば、植物のいずれの成長段階由来のものでもよく、例えば、発根前、発根後、苗、挿し木、成熟個体等に由来するものがあげられる。前記植物個体の部分は、例えば、一種類の器官、組織および／または細胞でもよいし、二種類以上の器官、組織および／または細胞でもよい。
【００１４】
＜寄託系統＞
本発明のブロッコリ植物は、一例として、受託番号ＦＥＲＭ  ＢＰ−２２３９３で寄託されたブロッコリ植物（寄託系統）またはその後代系統があげられる。寄託の情報を以下に示す。以下、寄託系統を、ブロッコリ品種Ｔａｋｉｉ１２ともいう。
寄託の種類：国際寄託
寄託機関名：独立行政法人製品評価技術基盤機構  特許生物寄託センター
あて名：日本国  〒２９２−０８１８  千葉県木更津市かずさ鎌足２−５−８  １２０号室
受託番号：ＦＥＲＭ  ＢＰ−２２３９３
識別のための表示：Ｔａｋｉｉ１２
受領日：２０２０年７月３０日
【００１５】
前記寄託系統は、例えば、下記表１Ａ〜Ｃに記載されている形態学的および生理学的特徴を示す。前記表１Ａ〜Ｂにおいて、前記形態学的および生理学的特徴は、２０１３年における日本における試作に基づいている。下記表１Ａ〜Ｂにおいて、前記形態学的および生理学的特徴は、農林水産省（Ministry of Agriculture, Forestry and Fisheries of Japan、MAFF）により発行されている、ブロッコリ変種の審査基準（２０１２年４月発行）に基づき評価している。また、下記表１Ｃにおいて、前記形態学的および生理学的特徴は、後述の基準に基づき評価している。なお、前記形態学的および生理学的特徴は、図１〜５を参照できる。
【００１６】
【表１Ａ】
0006860736.tif 000002
【００１７】
【表１Ｂ】
0006860736.tif 000003
【００１８】
【表１Ｃ】
0006860736.tif 000004
【００１９】
（形質番号１）
前記「茎の数」は、収穫期直前の茎の数を意味し、目視観察により評価できる。前記「茎の数」は、階級１（１本）および階級２（２本以上、標準品種(Ex. Var.)：グリーンコメット）を基準として評価できる。前記収穫期は、半数の個体が収穫適期になる時期を意味する。
【００２０】
（形質番号２）
前記「草丈」は、収穫期の草丈（ｃｍ）を意味する。前記「草丈」は、階級３（低、標準品種：中里早生）、階級５（中、標準品種：早生緑）および階級７（高、標準品種：中晩生緑）を基準として評価できる。
【００２１】
（形質番号３）
前記「草の姿勢」は、花らい球の形成はじめ（出らい期）における葉の着生角度（姿勢）を意味し、目視観察により評価できる。前記「草の姿勢」は、階級３（半直立）、階級５（水平、標準品種：岡緑）、および階級７（半下垂）を基準として評価できる。
【００２２】
（形質番号４）
前記「葉の長さ」は、葉柄を含む葉の長さ（ｃｍ）を意味する。前記「葉の長さ」は、階級３（短、標準品種：岡緑）、階級５（中、標準品種：早生緑）、および階級７（長、標準品種：中晩生緑）を基準として評価できる。
【００２３】
（形質番号５）
前記「葉の幅」は、葉の幅（ｃｍ）を意味する。前記「葉の幅」は、階級３（狭、標準品種：岡緑）、階級５（中、標準品種：グリーンコメット）、および階級７（広、標準品種：中晩生緑）を基準として評価できる。
【００２４】
（形質番号６）
前記「葉の切れ込みの多少」は、葉の切れ込みの数を意味し、目視観察により評価できる。前記「葉の切れ込みの多少」は、階級３（少）、階級５（中、標準品種：早生緑）、および階級７（多、標準品種：中晩生緑）を基準として評価できる。
【００２５】
（形質番号７）
前記「葉身の色」は、葉身の色を意味し、目視観察により評価できる。前記「葉身の色」は、階級１（緑、標準品種：グリーンコメット）、階級２（灰緑、標準品種：岡緑）、および階級３（青緑）を基準として評価できる。
【００２６】
（形質番号８）
前記「葉身の色の濃淡」は、葉身の色の濃淡を意味し、目視観察により評価できる。前記「葉身の色の濃淡」は、階級３（淡）、階級５（中、標準品種：グリーンコメット）、および階級７（濃、標準品種：岡緑）を基準として評価できる。
【００２７】
（形質番号９）
前記「葉身のアントシアニン着色の有無」は、葉身のアントシアニン着色を意味し、目視観察により評価できる。前記「葉身のアントシアニン着色の有無」は、階級１（無）および階級９（有、標準品種：中晩生緑）を基準として評価できる。
【００２８】
（形質番号１０）
前記「葉身の周縁の波打ちの強弱」は、葉身の周縁の波打ちの強弱を意味し、目視観察により評価できる。前記「葉身の周縁の波打ちの強弱」は、階級３（弱）、階級５（中）、および階級７（強）を基準として評価できる。
【００２９】
（形質番号１１）
前記「葉身の周縁の鋸歯の多少」は、葉身の周縁の鋸歯の強弱を意味し、目視観察により評価できる。前記「葉身の周縁の鋸歯の多少」は、階級３（少）、階級５（中）、および階級７（多、標準品種：中晩生緑）を基準として評価できる。
【００３０】
（形質番号１２）
前記「葉身の凹凸の強弱」は、葉身表面の凹凸の強弱を意味し、目視観察により評価できる。前記「葉身の凹凸の強弱」は、階級３（弱）、階級５（中）、および階級７（強）を基準として評価できる。
【００３１】
（形質番号１３）
前記「葉柄のアントシアニン着色の有無」は、葉柄のアントシアニン着色の有無を意味し、目視観察により評価できる。前記「葉柄のアントシアニン着色の有無」は、階級１（無）および階級９（有）を基準として評価できる。
【００３２】
（形質番号１４）
前記「葉柄の長さ」は、葉柄の長さ（ｃｍ）を意味し、目視観察により評価できる。前記「葉柄の長さ」は、階級３（短）、階級５（中）、および階級７（長）を基準として評価できる。
【００３３】
（形質番号１５）
前記「花らい球の分枝の長さ」は、主茎を含まない、花らい球の基部の分枝の長さを意味する。前記「花らい球の分枝の長さ」は、階級３（短）、階級５（中）、および階級７（長）を基準として評価できる。
【００３４】
（形質番号１６）
前記「花らい球の大きさ」は、花らい球の大きさ（花らい球の高さ×花らい球の直径）を意味する。前記「花らい球の大きさ」は、階級３（小、標準品種：グリーンコメット）、階級５（中）、および階級７（長、標準品種：岡緑）を基準として評価できる。
【００３５】
（形質番号１７）
前記「花らい球の重さ」は、花らい球の重さ（ｇ）を意味する。前記「花らい球の重さ」は、階級３（軽、標準品種：グリーンコメット）、階級５（中、標準品種：早生緑）、および階級７（重、標準品種：岡緑）を基準として評価できる。
【００３６】
（形質番号１８）
前記「花らい球の縦断面の形」は、花らい球の縦断面の形を意味し、目視観察により評価できる。前記「花らい球の縦断面の形」は、階級１（円形）、階級２（横広楕円形）、階級３（横楕円形）、階級４（横狭楕円形）、および階級５（三角形）を基準として評価できる。
【００３７】
（形質番号１９）
前記「花らい球の色」は、花らい球の色を意味し、目視観察により評価できる。前記「花らい球の色」は、階級１（黄白）、階級２（緑、標準品種：中晩生緑）、階級３（灰緑）、階級４（青緑）、および階級５（紫）を基準として評価できる。
【００３８】
（形質番号２０）
前記「花らい球の色の濃淡」は、花らい球の色の濃淡を意味し、目視観察により評価できる。前記「花らい球の色の濃淡」は、階級３（淡、標準品種：極早生緑）、階級５（中、標準品種：早生緑）、および階級７（濃、標準品種：岡緑）を基準として評価できる。
【００３９】
（形質番号２１）
前記「花らい球のアントシアニン着色の有無」は、花らい球のアントシアニン着色の有無を意味し、目視観察により評価できる。前記「花らい球のアントシアニン着色の有無」は、階級１（無）および階級９（有）を基準として評価できる。
【００４０】
（形質番号２２）
前記「花らい球のアントシアニン着色の強弱」は、花らい球のアントシアニン着色の強弱を意味し、目視観察により評価できる。前記「花らい球のアントシアニン着色の強弱」は、階級３（弱）、階級５（中）および階級７（強）を基準として評価できる。
【００４１】
（形質番号２３）
前記「花らい球のこぶの凹凸」は、花らい球表面のこぶ状の凹凸の細小、粗大の程度を意味し、目視観察により評価できる。前記「花らい球のこぶの凹凸」は、階級３（細、標準品種：グリーンコメット）、階級５（中、標準品種：岡緑）および階級７（粗、標準品種：中晩生緑）を基準として評価できる。
【００４２】
（形質番号２４）
前記「花らい球のきめの粗密」は、花らい球表面のきめの細かさ、粗さの程度を意味し、目視観察により評価できる。前記「花らい球のきめの粗密」は、階級３（細、標準品種：中晩生緑）、階級５（中、標準品種：岡緑）および階級７（粗、標準品種：中里早生）を基準として評価できる。
【００４３】
（形質番号２５）
前記「花らい球のしまり」は、花らい球のしまりの程度を意味し、目視観察により評価できる。前記「花らい球のしまり」は、階級３（緩い）、階級５（中）および階級７（固い）を基準として評価できる。
【００４４】
（形質番号２６）
前記「花らい球の渦巻き形成の明瞭性」は、花らい球表面の渦巻き形成の明瞭さを意味し、目視観察により評価できる。前記「花らい球の渦巻き形成の明瞭性」は、階級１（不明瞭）および階級２（明瞭）を基準として評価できる。
【００４５】
（形質番号２７）
前記「花らい球の包葉の有無」は、花らい球の包葉の有無を意味し、目視観察により評価できる。前記「花らい球の包葉の有無」は、階級１（無）および階級９（有）を基準として評価できる。
【００４６】
（形質番号２８）
前記「花らい球の茎の長さ」は、花らい球の茎の長さを意味する。前記「花らい球の茎の長さ」は、階級３（短、標準品種：グリーンコメット）、階級５（中、標準品種：常緑）および階級７（長、標準品種：中里早生）を基準として評価できる。
【００４７】
（形質番号２９）
前記「花らい球の茎の太さ」は、花らい球の茎の太さを意味する。前記「花らい球の茎の太さ」は、階級３（細、標準品種：グリーンコメット）、階級５（中、標準品種：早生緑）および階級７（太、標準品種：岡緑）を基準として評価できる。
【００４８】
（形質番号３０）
前記「花らい球の茎の硬さ」は、花らい球の茎の硬さを意味し、目視観察により評価できる。前記「花らい球の茎の硬さ」は、階級３（軟）、階級５（中、標準品種：グリーンコメット）および階級７（硬）を基準として評価できる。
【００４９】
（形質番号３１）
前記「花らい球の茎の色」は、花らい球の茎の色を意味し、目視観察により評価できる。前記「花らい球の茎の色」は、階級１（白）、階級２（淡緑、標準品種：グリーンコメット）、階級３（緑）、および階級４（帯紫）を基準として評価できる。
【００５０】
（形質番号３２）
前記「側枝花らいの発生の有無」は、収穫期における側枝花らい球の発生の有無を意味し、目視観察により評価できる。前記「側枝花らいの発生の有無」は、階級１（無）および階級９（有、標準品種：中晩生緑）を基準として評価できる。
【００５１】
（形質番号３４）
前記「花の色」は、開花時の花色を意味し、目視観察により評価できる。前記「花の色」は、階級１（白）および階級２（黄）を基準として評価できる。
【００５２】
（形質番号３５）
前記「花の黄色の濃淡」は、花色の黄色味の濃淡を意味し、目視観察により評価できる。前記「花の黄色の濃淡」は、階級３（淡）、階級５（中）、および階級７（濃）を基準として評価できる。
【００５３】
（形質番号３６）
前記「収穫の早晩」は、収穫期（半数の個体が収穫適期になる時期）を意味する。前記「収穫の早晩」は、階級３（早、標準品種：早生緑）、階級５（中、標準品種：岡緑）、および階級７（晩、標準品種：中晩生緑）を基準として評価できる。
【００５４】
（形質番号３７）
前記「開花期」は、開花期（少なくとも一割の小花が開花している個体が半数に達する時期）を意味する。前記「開花期」は、階級３（早、標準品種：グリーンコメット）、階級５（中、標準品種：中晩生緑）、および階級７（晩）を基準として評価できる。
【００５５】
（形質番号３８）
前記「雄性不稔性の有無」は、雄性不稔性の有無を意味し、目視観察により評価できる。前記「雄性不稔性の有無」は、階級１（無）および階級９（有）を基準として評価できる。
【００５６】
（形質番号４０）
前記「葉の数」は、葉の総数を意味する。前記「葉の数」は、階級３（少、１６枚程度、標準品種：おはよう）、階級５（中、２２枚程度、標準品種：グランドーム）、および階級７（多、２６枚程度、標準品種：晩緑１００）を基準として評価できる。
【００５７】
（形質番号４１）
前記「茎の長さ」は、地際から、頂花らい球の最下部にある小花らいの、花らい茎の付け根までの茎の長さを意味する。前記「茎の長さ」は、階級１（短、１６ｃｍ程度、標準品種：おはよう）および階級９（長、２６ｃｍ程度、標準品種：ピクセル）を基準として評価できる。
【００５８】
（形質番号４２）
前記「葉の切れ込みの深さ」は、葉の切れ込みの上下の葉身の頂点を結んだ線の中心点から、切れ込みの最も主葉脈に近いところまでの距離を意味し、切れ込みが複数ある場合は最大値をとる切れ込みの深さを意味する。前記「葉の切れ込みの深さ」は、階級１（浅、２ｃｍ程度、標準品種：おはよう）および階級９（深、７ｃｍ程度、標準品種：チャレンジャー）を基準として評価できる。
【００５９】
前記寄託系統は、自家不和合性を有する。前記寄託系統の自家不和合性に関するＳ遺伝子は、ＳＲＫ１８遺伝子およびＳＬＧ１８遺伝子である。前記ＳＲＫ１８遺伝子およびＳＬＧ１８遺伝子は、下記参考文献１を参照できる。前記ＳＲＫ１８遺伝子（Genbank Accession No.: AB032473.1）およびＳＬＧ１８遺伝子の塩基配列（Genbank Accession No.: AB032471.1）は、例えば、それぞれ、下記配列番号１または配列番号２の塩基配列があげられる。
参考文献１：Tohru Suzuki et al., “ Characterization of Brassica S-haplotypes lacking S-locus glycoprotein”, FEBS Letters, 2000, vol. 482, pages 102-108
【００６０】
ＳＲＫ１８遺伝子（配列番号１）
5'-ATGAAAGGTGTACGAAACATCTATCACCATTCTTACACCTCCTTGTTGCTCGTCTACGTTGTCATGATTCTATTTCATCCTGGCCTTGCGATCTATATCACCACTTTGTCGGCTACAGAATCTCTTACAATCTCAAGCAACAGAACACTTGTATCTCCCGGCAATGTCTTCGAGCTCGGTTTCTTCAAAACCACCTCAAGTTCCCGTTGGTATCTCGGGATATGGTACAAGAAATTGCCCGACAGAACCTATGTATGGATTGCCAACAGAGATAACCCTCTCCCCAATACCATTGGAACCCTCAAAATCTCAGGCAATAATCTTGTCATCCTTGGTCATTCCAATAAATCTGTTTGGTCGACGAATGTAACTAGAGGAAATGAGAGATCTCCGGTGGTGGCAGAGCTTCTCGCTAACGGAAACTTCGTGATGCGAGACTCCAATAACACAGACGCAAATGAATTCTTGTGGCAAAGTTTCGATTTCCCTACAAATACTTTGCTTCCAGAGATGAAACTGGGTTACGACCTCAAAACAGGGCTGAACAGGTTCCTTACATCATGGAGAGGTTCAGATGATCCGTCAAGCGGGGATCACTTGTACAAGCTCGAACCCCGAAGTTTTCCTGAATTTTATATATTTAACGACGACTTTCCAGTGCATCGGATTGGTCCATGGAATGGAATCGAATTTAGTGGCATACCAGAGGACCAGAAGTCGAGTTACATGGTGTACAATTTCACAGAGAATAGTGAGGAGGTTGCTTATTCATTTCGAATGACCAACAACAGCATTTACTCGAGATTGATAATAAGTTCCGAAGGGTATTTACAGCGACTGATATGGACTCCGTCAACAAAGATATGGCAAGAGTTCTGGTCTTCTCCAGTGAGCCTCCAGTGCGATCCATACAGGATTTGTGGGCCTTACGCTTACTGTGACGAGAACACATCACCGGTGTGTAACTGTATACAAGGGTTCGATCCCAAGAACCAGCAGCAGTGGGATCTGAGATCCCATGCAAGTGGGTGTATAAGGAGGACGTGGCTGAGCTGCCGTGGTGATGGTTTTACAAGGATGAAGAATATGAAGTTGCCAGACACTACGGCGGCGATTGTCGACCGGAGTGTTGGTGTGAAAGAATGTGAGAAGAAATGCCTTAGCAATTGTAATTGTACTGCATTTGCAAATGCGGATATCCGGAATGGTGGGACGGGTTGTGTGATTTGGACCGGGGAGCTTGAAGATATCCGGAATTACGTTGCTGACGGTCAAGATCTTTATGTCAGATTAGCTGCTGCTGATCTCGTTAAGAAGAGAAACTCGAATGGGAAAATCATAGGTTTGATTGTTGGAGTTAGTGTTCTGCTTCTTCTAATAATTTCCTGCCTCTGGAAAAGGAGACAAAAGCGAGCAAAAGCAAGTGCAACATCTATTGCAAATCGACAGAGAAACCAAAATATGCCTATGAACGGGATGGTGCTATCAAGCAAGAGACAGTTGTCTGGAGAGAACAAAATTGAGGATTTGGAACTTCCATTGATAGAGTTGGAAGCTGTTGTCAAAGCCACCGAAAATTTCTCCAGTTGTAATAAAATCGGAGAAGGTGGTTTTGGTATTGTTTACAAGGGAAGATTACTTGATGGGCAAGAAATCGCGGTAAAAAGGCTATCAAAGACGTCATTTCAAGGGACTGATGAGTTTATGAATGAGGTGACATTAATCGCAAGGCTTCAGCATATAAACCTTGTTCAAGTTCTTGGCTGTTGCATTGAAGGAGATGAGAAAATGCTGATATATGAGTATTTGGAAAATTTAAGCCTCGATTCTTATCTCTTCGGAAAAACCCGAAGCTCTAAGCTAAGTTGGAAGGAGAGATTCGACATTACCAATGGTGTTGCTCGAGGGCTTTTATATCTACATCAAGACTCACGATTTAGGATAATCCACAGAGATTTGAAAGTAAGTAACATTTTGCTTGATAAAAATATGATCCCAAAGATCTCGGATTTTGGGATGGCCAGAATATTTGCAAGGGATGAGACGGAAGCAAACACAATGAAGGTGGTCGGAACTTACGGCTACATGTCCCCAGAGTATGCAATGAATGGGATCTTCTCAGAAAAATCAGATGTTTTCAGTTTTGGAGTCATAGTTCTTGAAATTGTTACTGGAAAGAGGAACAGAGGATTCTACAACTTGAACTACAAAAACAATTTTCTAAGCTATGCATGGAGTAATTGGAAGGAAGGAAGAGCGCTAGAAATCGTAGATCCAGTCATTGTAGATTCATTGTCACCACTGTCATCAACATTTCAACCACAAGAAGTCCTAAAATGCATACAAATTGGTCTCTTGTGTGTTCAAGAACTTGCAGAGCACAGACCAACGATGTCGACTGTGGTTTGGATGCTTGGAAGTGAAGCAACAGAGATTCCTCAGCCTAAACCGCCAGGTTATTGCGTCGGAAGCAGTCCTTATGAACTAGATCCATCAGCAAGTAGGCAGTTGGACGATGATGAATCCTGGACGGTGAACCAGTACACTTGCTCAGTCATCGATGCCCGGTAATATGAACGCTGTTGAGGAAGTTCATATAATTAAACATTACTAAATGCAGTGACTCAATATCATATGTGAAAGAAGGAAATAAATTCTCAAAATATAAGTATGTTATTTTGTAAC-3'
【００６１】
ＳＬＧ１８遺伝子（配列番号２）
5'-ATGAAAGGCGTGAGAAAAACCTACGATAATTCTTACACCGTAACCTTTTTGCTTGTCTTTTTCGTCTTGATCCTATTTCGTCCTGCCTTTTCGATCAACACGTTGTCGGCTACAGAATCTCTTACAATCTCAAGCAACAGAACACTTGTATCTCCCGGCAACGTCTTCGAGCTCGGCTTCTTCCGAACCACCTCAAGTTCTCGTTGGTATCTCGGGATATGGTACAAGAAATTGCCCGACAGAACCTATGTATGGGTTGCCAACAGAGATAACCCTCTCTCCAGTTCCACTGGAACCCTCAAAATTTCAGGCAATAATCTTGTCATCCTTGGCCACTCCAATAAATCTGTTTGGTCGACGAATGTAACTAGAGGAAATGAGAGATCTCCGGTGGTTGCAGAGCTTCTCGCTAATGGAAACTATGTGATACGAGACTCCAATAACAAGGACGCAAGTGGATTCTTGTGGCAAAGTTTCGATTTCCCTACAAATACTTTGCTTCCAGAGATGAAACTGGGTTACGACCTCAAAACAGGGCTGAACAGGTTCCTTACATCATGGAGAGGTTCAGATGATCCGTCAAGCGGGGAAATCACTTACAAGCTCGAACCCCGAAGGTTTCCTGAGTTTTATATATTTAGCGACGACTTTTGAGTGCACCGGATTGGTCCATGGAATGGAATCGGATTTAGTGGCATACCAGAGGACCAGAAGTCGAGTTACATGGTGTACAATTTCACAGAGAATAGTGAGGAGGTTGCTTATTCATTTCAAATGACCAACAACAGCATTTACTCGAGATTGATAATAACTTCCGAAGGGTATTTACAGCTACTGATGTGGACTCCGTCAACAAAGATGTGGCAAGAGTTCTGGTCTTCTCCAGTGAGCCTCCAGTGCGATCCATACAGGATTTGTGGGCCTTGCGCTTACTGTGACGAGAACACATCACCGGTATGTAACTGTATACAAGGGTTCTATCCCAAGAACCGGCAGCAGTGGGATGTGAGAGTCGCTTCAAGTGGGTGTATAAGGAGAACACGGCTGAGCTGCAGTGGAGATGGTTTTACCAGGATGAAGAACATGAATTTGCCAGACACTACAATGGCGACTGTAGACAGGAGCATTGATGTAAAAGAATGTAAGAAGAGATGCCTTAGCGATTGTAATTGTACCGCTTATGCAAATGCGGATATCCGGAATGGTGGGACGGGTTGTGTGATCTGGACCGGAGCGCTTGAGGACATCCGGACTTACTTTGCTGAAGGTCAAGATCTTTATGTCAAATCGGCTGCTGCTGACCTTGCTTAG-3'
【００６２】
本発明において、「寄託系統の本質的にすべての生理学的および形態学的特徴」を有する植物は、同一環境で生育した場合に、寄託系統の主要な形質を有する植物であることを意味する。前記主要な形質は、下記（１）〜（１０）の形質、すなわち、形質番号６、９、１３、２１、２５、２８、３６、および４０〜４２、ならびに自家不和合性である。前記主要な形質は、好ましくは、前記表１ＡおよびＢにおいて、形質番号９、１３、２１、および３６の形質、すなわち、下記（１）〜（３）および（９）の形質および自家不和合性があげられる。前記「寄託系統の本質的にすべての生理学的および形態学的特徴」を有する植物は、例えば、１０個以下、９個以下、８個以下、７個以下、６個以下、５個以下、４個以下、３個以下、２個以下、または１個の形質を除き、寄託系統と同じ形質を有する植物であってもよい、すなわち、１０個以下、９個以下、８個以下、７個以下、６個以下、５個以下、４個以下、３個以下、２個以下、または１個の形質が、寄託系統と異なる形質であってもよい。前記「寄託系統と異なる形質」は、前記寄託系統の主要な形質でもよいし、寄託系統の主要な形質以外の形質でもよいが、寄託系統の主要な形質以外の形質が好ましい。前記「寄託系統と異なる形質」は、例えば、後述の形質の導入および／または遺伝子の導入により実施できる。前記「寄託系統の本質的にすべての生理学的および形態学的特徴」を有する植物において、前記形質番号１〜２１、２３〜３２、３４〜３８、および４０〜４３ならびに自家不和合性の全ての形質は、前記寄託系統と同じでもよい。
（１）葉身のアントシアニン着色が無い；
（２）葉柄のアントシアニン着色が無い；
（３）花らい球のアントシアニン着色が弱い；
（４）葉の数が多い；
（５）茎の長さが短い；
（６）花らい球のしまりが固い；
（７）葉の切れ込みが多い；
（８）葉の切れ込みが深い；
（９）収穫期が晩生である；
（１０）自家不和合性遺伝子として、ＳＲＫ１８遺伝子およびＳＬＧ１８遺伝子を有する。
【００６３】
前記寄託系統は、例えば、下記表２Ａ〜Ｕに記載されている一塩基多型（ＳＮＰ）を有する。前記表２Ａ〜Ｕにおいて、括弧で示す塩基［Ｎ１／Ｎ２］が、一塩基多型を示し、Ｎ１が、ＮＣＢＩにRefSeq assembly accession: GCF_000695525.1（https://www.ncbi.nlm.nih.gov/assembly/GCF_000695525.1/）で登録されているデータセット（ヤセイカンラン品種：TO1000のゲノム塩基配列）における塩基であり、Ｎ２が、前記データセットにおける塩基以外の塩基である。前記データセットの解析は、例えば、下記参考文献２を参照できる。
参考文献２：Isobel AP Parkin1 et al., “Transcriptome and methylome profiling reveals relics of genome dominance in the mesopolyploid Brassica oleracea”, Genome Biology, 2014, vol.15, No.6, article number: R77
【００６４】
【表２Ａ】
0006860736.tif 000005
【表２Ｂ】
0006860736.tif 000006
【表２Ｃ】
0006860736.tif 000007
【表２Ｄ】
0006860736.tif 000008
【表２Ｅ】
0006860736.tif 000009
【表２Ｆ】
0006860736.tif 000010
【表２Ｇ】
0006860736.tif 000011
【表２Ｈ】
0006860736.tif 000012
【表２Ｉ】
0006860736.tif 000013
【表２Ｊ】
0006860736.tif 000014
【表２Ｋ】
0006860736.tif 000015
【表２Ｌ】
0006860736.tif 000016
【表２Ｍ】
0006860736.tif 000017
【表２Ｎ】
0006860736.tif 000018
【表２Ｏ】
0006860736.tif 000019
【表２Ｐ】
0006860736.tif 000020
【表２Ｑ】
0006860736.tif 000021
【表２Ｒ】
0006860736.tif 000022
【表２Ｓ】
0006860736.tif 000023
【表２Ｔ】
0006860736.tif 000024
【表２Ｕ】
0006860736.tif 000025
【００６５】
＜後代系統＞
本発明のブロッコリ植物は、寄託系統の後代系統であってもよい。前記後代系統は、後代系統の植物個体でもよいし、後代系統の植物個体の部分または後代系統の種子でもよい。
【００６６】
本発明において、「後代系統」または「後代ブロッコリ植物」（以下、あわせて「後代系統」という）は、寄託系統のブロッコリ植物またはその後代系統から得られる植物である。本発明において、前記後代系統は、前記寄託系統と、別の寄託系統もしくは他のブロッコリ植物との交雑、または前記寄託系統と野生のブロッコリ植物との交雑から得られた植物でもよい。また、前記後代系統は、前記寄託系統もしくはその後代系統を自殖および／または他家受粉することにより直接または間接的に取得するか、取得しうるか、または由来してもよいし、自殖および／または他家受粉などの伝統的な育種方法を使用して、寄託系統から得られた親系統に由来してもよい。前記後代系統は、例えば、自殖後代系統、第１世代ハイブリッドＦ１（雑種第１代系統、Ｆ１ハイブリッド）等があげられる。前記後代系統の取得において、前記寄託系統は、雌親として用いてもよいし、雄親として用いてもよいし、両親として用いてもよい。
【００６７】
本発明において、「交雑」は、２つの親系統の交雑を意味する。前記交雑は、「他家受粉」でもよいし、「自家受粉」でもよい。前記他家受粉は、異なる植物に由来する２つの配偶子が結合することによる受精を意味する。前記自家受粉は、花粉が、同じ植物の葯から柱頭に移動することを意味する。前記自家受粉は、例えば、自殖ということもできる。前記交雑は、伝統的な育種法の１つである戻し交雑を含んでもよい。
【００６８】
前記「戻し交雑」は、伝統的な育種技術の１つであり、ブリーダーがハイブリッドの後代系統を繰り返し親系統の１つに戻し交雑し、植物または品種に形質を導入する方法である。前記導入する形質を含む植物は、例えば、ドナー植物ということできる。また、前記形質が導入される植物は、例えば、反復親（recurrent parent）ということができる。前記戻し交雑では、ドナー植物と反復親とを交雑することにより実施でき、これにより、第１世代ハイブリッドＦ１（雑種第１代系統、Ｆ１ハイブリッド）が取得できる。つぎに、前記形質を有する後代系統を、反復親と交雑する。そして、数世代の戻し交雑および／または自殖することで、前記反復親に、ドナー植物の形質を導入できる。
【００６９】
本発明において、前記後代系統は、前記寄託系統由来の細胞培養物もしくは組織培養物、プロトプラストまたは植物個体の部分から再生してもよいし、前記寄託系統の自殖によって取得してもよいし、前記寄託系統の植物個体から種子を生産することによって取得してもよい。
【００７０】
本発明において、前記「再生」は、細胞培養物、組織培養物またはプロトプラストからの植物の発生または栄養繁殖を意味する。
【００７１】
前記「組織培養物」または「細胞培養物」は、同じまたは異なるタイプの単離された細胞を含む組成物であってもよいし、植物の部分に組織化される細胞の集合体であってもよい。ブロッコリ植物のさまざまな組織の組織培養物および前記組織培養物からの植物の再生方法は、よく知られており、例えば、下記参考文献３〜５を参照できる。
参考文献３：Lise N. Hansen et al., "Genetic analysis of protoplast regeneration ability in Brassica oleracea", Plant Cell, Tissue and Organ Culture, 1999, vol. 58, pages 127-132
参考文献４：Ravanfar S. A. et al, “Plant regeneration of Brassica oleracea subsp. Italica (Broccoli) CV Green Marvel as affected by plant growth regulators”, African Journal of Biotechnology, 2009, Vol. 8, No. 11, pages 2523-2528 
参考文献５：Jong Hee Kim et al., “Callus Induction and Plant Regeneration from Broccoli (Brassica oleracea var. italica) for Transformation”, Journal of Plant Biology, September 2002, vol. 45, No. 3, pages 177-181
【００７２】
前記後代系統は、所望の形質を有してもよい。前記後代系統は、例えば、同一の栽培条件で栽培した場合に、「寄託系統の本質的にすべての生理学的および形態学的特徴」を有してもよい。具体的には、前記後代系統は、寄託系統と共通する形質を有してもよい。具体例として、前記後代系統は、例えば、１個以上、２個以上、３個以上、４個以上、５個以上、６個以上、７個以上、８個以上、９個以上、１０個以上、１１個以上、１２個以上、または１３個以上の形質が、寄託系統の形質と一致する。前記後代系統は、寄託系統の主要な形質を有する植物であってもよい。前記主要な形質は、前記表１ＡおよびＢにおいて、形質番号９、１３、２１、および３６の形質、すなわち、前記（１）〜（３）および（９）の形質があげられる。前記後代系統は、例えば、１３個以下、１２個以下、１１個以下、１０個以下、９個以下、８個以下、７個以下、６個以下、５個以下、４個以下、３個以下、２個以下、または１個の形質を除き、寄託系統と同じ形質を有する植物であってもよい、すなわち、１３個以下、１２個以下、１１個以下、１０個以下、９個以下、８個以下、７個以下、６個以下、５個以下、４個以下、３個以下、２個以下または１個の形質が、寄託系統と異なる形質であってもよい。前記「寄託系統と異なる形質」は、前記寄託系統の主要な形質でもよいし、寄託系統の主要な形質以外の形質でもよいが、寄託系統の主要な形質以外の形質が好ましい。前記「寄託系統と異なる形質」は、例えば、後述の形質の導入および／または遺伝子の導入により実施できる。前記後代系統において、前記形質番号１〜３８の全ての形質は、寄託系統と同じでもよい。前記寄託系統と異なる形質は、例えば、コナガ耐虫性、ヨトウ耐虫性、LSL（ステイグリーン、エチレン非感受）、弱光下でも緑着色する形質（隠れた部分も緑に着色する）等があげられる。各形質は、例えば、各形質と関連する遺伝子座を有する公知の植物と交雑することにより、導入できる。
【００７３】
前記後代系統は、前記寄託系統に由来する、少なくとも１セットの染色体を含む細胞を含んでもよい。前記後代系統は、例えば、そのアリル（対立遺伝子）の少なくとも６．２５％、１２．５％、２５％、３０％、３５％、４０％、４５％、５０％、５５％、６０％、６５％、７０％、８０％、８５％、９０％、９５％、９６％、９７％、９８％または９９％が、前記寄託系統由来でもよい。すなわち、前記後代系統は、前記寄託系統と、少なくとも約６．２５％、１２．５％、２５％、３０％、３５％、４０％、４５％、５０％、５５％、６０％、６５％、７０％、８０％、８５％、９０％、９５％、９６％、９７％、９８％または９９％の遺伝的相補性（genetic complement）を有してもよい。
【００７４】
前記「アリル（対立遺伝子）」は、１または複数の遺伝子のいずれかであり、そのすべてがブロッコリ植物の特性または形質に関連している。二倍体の細胞または生物では、所定の遺伝子の一対のアリルが、一対の相同染色体上の対応する遺伝子座を占める。
【００７５】
前記遺伝的相補性は、例えば、分子マーカーまたは塩基配列を解読し、Ｔａｋｉｉ１２の分子マーカーまたは塩基配列と比較し、一致率を計算することにより算出できる。前記分子マーカーは、例えば、SNP（一塩基多型）マーカー、増幅断片長多型（AFLP）マーカー、制限酵素断片長多型（RFLP）マーカー、マイクロサテライトマーカー、sequence-characterized amplified region (SCAR)マーカー、cleaved amplified polymorphic sequence (CAPS)マーカー等があげられる。前記分子マーカーを用いたゲノムの解析方法は、よく知られており、広く公開されている（例えば、下記参考文献６および７）。前記塩基配列の解読は、例えば、前記後代系統から染色体を抽出し、前記染色体に対してシークエンスを行なうことにより実施できる。前記寄託系統由来のアリルの割合および遺伝的相補性の割合は、例えば、交雑回数により推定してもよい。この場合、前記割合は、寄託系統からの交雑回数から推定できる。具体例として、前記寄託系統からの交雑回数がｎ回の場合、前記割合は、例えば、（１／２）ｎ×１００％と推定できる。
参考文献６：Sinchan Adhikari et.al, “Application of molecular markers in plant genome analysis: a review”, The Nucleus, 2017, Volume 60, Issue 3, pp. 283-297
参考文献７：Elcio P. Guimaraes et.al., “MARKER-ASSISTED SELECTION Current status and future perspectives in crops, livestock, forestry and fish”, 2007, Springer, 29-49
【００７６】
前記寄託系統由来のアリルおよび遺伝的相補性の割合は、例えば、複数の後代系統の割合の平均値であることが好ましい。前記複数は、例えば、統計学的な検討が可能な個体数であり、具体例として、２００個体以上であり、好ましくは、２００〜１０００個体である。
【００７７】
前記後代系統は、前記寄託系統に由来するＳＮＰを有してもよい。前記寄託系統のＳＮＰは、前記表２Ａ〜Ｕに示すＳＮＰである。前記後代系統は、例えば、そのＳＮＰの少なくとも６．２５％、１２．５％、２５％、３０％、３５％、４０％、４５％、５０％、５５％、６０％、６５％、７０％、８０％、８５％、９０％、９５％、９６％、９７％、９８％または９９％が、前記寄託系統由来でもよい。すなわち、前記後代系統は、前記寄託系統と、少なくとも約６．２５％、１２．５％、２５％、３０％、３５％、４０％、４５％、５０％、５５％、６０％、６５％、７０％、８０％、８５％、９０％、９５％、９６％、９７％、９８％または９９％のＳＮＰが一致してもよい。本発明において、対象のブロッコリ植物が、例えば、５０％、５５％、６０％、６５％、７０％、８０％、８５％、９０％、９５％、９６％、９７％、９８％または９９％以上のＳＮＰが、前記寄託系統のＳＮＰと一致する場合、前記対象のブロッコリ植物は、前記寄託系統の後代系統であると判定（判別、推定、鑑定、または鑑別）できる。前記後代系統は、例えば、前記寄託系統のＳＮＰのうち、ＳＮＰ７、ＳＮＰ８、ＳＮＰ２０、ＳＮＰ２１、ＳＮＰ７５、ＳＮＰ７８、ＳＮＰ８１、ＳＮＰ８４、ＳＮＰ９０、ＳＮＰ１４２、ＳＮＰ１６５、およびＳＮＰ１７７からなる群から選択された少なくとも１つのＳＮＰを含むことが好ましく、ＳＮＰ７８、ＳＮＰ８１、およびＳＮＰ１４２からなる群から選択された少なくとも１つのＳＮＰを含むことがより好ましい。
【００７８】
前記後代系統は、例えば、変異または導入遺伝子を有してもよい。この場合、前記後代系統は、例えば、１以上の形質が修飾されている。前記後代系統は、例えば、前記寄託系統またはその後代系統に対して、変異の導入または導入遺伝子の導入により、作製できる。前記変異は、人為的に導入されてもよいし、自然に導入されてもよい。前記変異は、例えば、化学物質誘導性の変異でもよいし、放射線誘導性の変異でもよい。また、前記変異は、例えば、分子生物学的手法またはゲノム編集技術により導入されてもよい（例えば、下記参考文献８）。前記導入遺伝子は、例えば、アグロバクテリウム属（Agrobacterium tumefaciens）を用いる方法等があげられる。
参考文献８：Yanfei Mao et.al., “Gene editing in plants: progress and challenges”, National Science Review, 2019, vol. 6, pp. 421-437
【００７９】
前記１以上の形質は、例えば、コナガ耐虫性、ヨトウ耐虫性、LSL（ステイグリーン、エチレン非感受）、弱光下でも緑着色する形質（隠れた部分も緑に着色する）；等があげられる。
【００８０】
前記導入遺伝子（transgene）は、例えば、遺伝子工学的手法または伝統的な育種方法により、植物のゲノム内に導入された所望の遺伝子を意味する。前記導入遺伝子は、例えば、同一種に由来してもよいし、異なる種に由来してもよい。また、前記導入遺伝子は、由来の種と同一の塩基配列を含む遺伝子でもよいし、異なる塩基配列を含む遺伝子でもよい。後者の場合、異なる塩基配列は、例えば、前記同一の塩基配列に対して、コドン最適化、プロモーター等の転写制御因子の付加等を実施することにより調製できる。前記導入遺伝子は、翻訳領域と非翻訳領域とを含んでもよい。
【００８１】
＜半数体および倍加半数体植物＞
本発明のブロッコリ植物は、前記寄託系統から取得された、取得可能な、または誘導された半数体植物および／または倍加半数体植物であってもよい。前記寄託系統の半数体植物および／または倍加半数体植物は、前記寄託系統の親系統を生産する方法において使用してもよい。一実施形態において、本発明は、半数体植物および／または倍加半数体植物の植物、半数体植物および／または倍加半数体植物の植物部分、または半数体植物および／または倍加半数体植物の種子を提供してもよい。
【００８２】
前記倍加半数体植物は、半数体植物または細胞において染色体を倍加することにより製造できる（例えば、下記参考文献９）。具体例として、半数体である花粉を、所定の条件下で培養することで染色体が1nの小植物体（plantlets）を形成させる。つぎに、前記小植物体に対して、例えば、コルヒチン等の化学物質で処理することにより、染色体を倍加させる。これにより、前記小植物体の細胞は、染色体が２ｎになる（倍加半数体）。そして、前記処理後の小植物体を生育することで、前記倍加半数体植物およびその後代系統を取得することができる。
参考文献９： Jim M. Dunwell, “Haploids in flowering plants: origins and exploitation”, Plant Biotechnology Journal, 2010, volume 8, pp. 377-424
【００８３】
＜ブロッコリ植物の製造方法＞
本発明のブロッコリ植物の製造方法は、前述のように、第１のブロッコリ植物と、第２のブロッコリ植物とを交雑する交雑工程を含み、前記第１のブロッコリ植物は、前記本発明のブロッコリ植物である。本発明の製造方法は、前記交雑工程における親の少なくとも一方に、前記本発明のブロッコリ植物を用いることが特徴であり、その他の工程および条件は、特に制限されない。
【００８４】
また、本発明のブロッコリ植物の製造方法は、前記本発明のブロッコリ植物を自殖（自家受粉）させる自殖工程を含む。本発明の製造方法は、前記本発明のブロッコリ植物を自殖させることが特徴であり、その他の工程および条件は、特に制限されない。
【００８５】
本発明の製造方法によれば、前記寄託系統の後代系統を製造できる。本発明の製造方法は、本発明のブロッコリ植物の説明を援用できる。
【００８６】
本発明において、前記第１のブロッコリ植物（第１の親系統）と前記第２のブロッコリ植物（第２の親系統）との交雑は、例えば、同一個体間の交雑（正自家受粉）でもよいし、同一クローン個体間または近交系で維持されている系統の個体間の交雑（準自家受粉）でもよいし、異なる個体間の交雑（他家受粉）でもよい。前記正自家受粉の場合、前記第１の親系統および前記第２の親系統は、例えば、いずれか一方が同一個体における雌器官であり、他方が、同一個体における花粉である。前記準自家受粉とは、例えば、自家不和合性に関するＳ遺伝子型が同じである場合があげられ、前記他家受粉は、例えば、自家不和合性に関するＳ遺伝子型が異なる場合があげられる。ブロッコリ植物の交雑においては、前記第１の親系統と前記第２の親系統とが、異なるＳ遺伝子型であり、前記交雑が他家受粉であることが好ましい。
【００８７】
本発明において、前記第１の親系統は、前記本発明のブロッコリ植物であり、例えば、前述の受託番号ＦＥＲＭ  ＢＰ−２２３９３で寄託されたブロッコリ植物またはその後代系統である。
【００８８】
前記第２の親系統は、特に制限されず、任意のブロッコリ植物を使用できる。前記第２の親系統は、例えば、前記第１の親系統と、分類学上、同じ種のブロッコリ植物でもよいし、異なる種のブロッコリ植物でもよい。前記第２の親系統は、例えば、前記寄託系統または後代系統でもよいし、その他のブロッコリ植物でもよい。
【００８９】
本発明の製造方法は、例えば、前記交雑工程の後、さらに、前記交雑工程で得られた後代系統を育成する育成工程を含んでもよい。前記育成工程における育成条件は、例えば、ブロッコリ植物における一般的な育成条件があげられる。
【００９０】
本発明のブロッコリ植物は、例えば、前記本発明の製造方法により得ることができる。
【００９１】
＜ブロッコリ植物の種子の生産方法＞
本発明は、ブロッコリ種子の製造方法を提供する。本発明のブロッコリ種子の製造方法は、前記寄託系統のブロッコリ植物を、自殖または別のブロッコリ植物と交雑させる工程と、その結果得られる種子を任意で採種（収集または収穫）する工程とを含む。本発明の種子の製造方法は、ブロッコリ植物の種子を生育させることにより、植物、植物部分または種子を提供してもよい。
【００９２】
本発明の種子の生産方法は、前記寄託系統に由来する種子の生産方法であってもよい。この場合、本発明の種子の生産方法は、（ａ）前記寄託系統の植物を別のブロッコリ植物と交雑して種子を生産する工程を含んでもよい。本発明の種子の生産方法は、さらに、（ｂ）前記（ａ）工程の種子からブロッコリ植物を栽培して、前記寄託系統に由来するブロッコリ植物を生産する工程と、（ｃ）前記（ｂ）工程のブロッコリ植物を、自殖または別のブロッコリ植物と交雑し、前記寄託系統に由来する追加のブロッコリ植物を作出する工程とを含んでもよい。さらに、本発明の種子の生産方法は、（ｄ）任意に、前記（ｂ）工程および前記（ｃ）工程を１回以上繰り返し、前記寄託系統に由来するさらなるブロッコリ植物を生産してもよい。この場合、前記（ｂ）工程における前記（ａ）工程の種子から栽培したブロッコリ植物としては、前記（ｃ）工程で得られた追加のブロッコリ植物を用いることができる。前記「１回以上」は、例えば、１回〜１０回、３回〜７回、３回〜５回である。本発明の種子の生産方法は、さらに、種子を収集または収穫する工程を含んでもよい。本発明の種子の生産方法は、上記の方法によって生産された種子、および種子を生育させることによって得られる植物または植物個体の部分を提供してもよい。
【００９３】
＜雑種ブロッコリ植物の生産方法＞
本発明は、ハイブリッド（雑種）ブロッコリ植物を生産する方法を提供する。本発明の雑種植物の生産方法では、本発明のブロッコリ植物を別のブロッコリ植物と交雑させる工程を含む。本発明の雑種植物の生産方法では、交雑により得られた種子を収集または収穫する工程を含んでもよい。また、本発明の雑種植物の生産方法は、上記の方法により生産された種子および雑種植物または雑種植物個体の部分を提供してもよい。
【００９４】
＜新たな形質の導入方法＞
本発明は、前記寄託系統に少なくとも１つの新しい特性または形質（以下、あわせて、「形質」という）を導入する方法を提供する。本発明の形質の導入方法は、例えば、新たな形質が導入されたブロッコリ植物の生産方法ということもできる。本発明の形質の導入方法は、例えば、（ａ）前記寄託系統の植物を、後代系統を作出するために、少なくとも１つの新しい形質を含むブロッコリ植物と交配させる工程と、（ｂ）少なくとも１つの新しい形質を含む後代系統を選択する工程とを含む。本発明の形質の導入方法は、例えば、（ｃ）前記後代系統を、前記寄託系統と交雑し、戻し交雑後代の種子を生産する工程と、（ｄ）少なくとも１つの新しい形質と、前記寄託系統の本質的にすべての生理学的および形態学的特徴を含む戻し交雑後代を選択する工程とを含む。前記（ｂ）および（ｄ）工程において、新たな形質を有する後代系統の選抜は、例えば、前記形質を検出することにより実施してもよいし、前記形質と関連（連鎖）する遺伝子または分子マーカーを検出することにより実施してもよい。前記新たな形質は、例えば、コナガ耐虫性、ヨトウ耐虫性、LSL（ステイグリーン、エチレン非感受）、弱光下でも緑着色する形質（隠れた部分も緑に着色する）等があげられる。
【００９５】
本発明の形質の導入方法は、（ｅ）任意に、前記（ｃ）工程および（ｄ）工程を１回以上繰り返して、少なくとも１つの新しい形質を含むブロッコリ植物を生産してもよい。この場合、本発明の形質の導入方法は、前記（ｃ）工程における前記後代系統としては、前記（ｄ）工程で選択された戻し交雑後代を用いることができる。前記（ｅ）工程で取得された、または取得可能なブロッコリ植物は、前記寄託系統の本質的にすべての生理学的および形態学的特徴のすべてを有してもよい。前記「本質的にすべての生理学的および形態学的特徴」は、前記後代系統の説明において、「後代系統」を「前記（ｅ）工程で取得された、または取得可能なブロッコリ植物」に読み替えて、その説明を援用できる。前記「１回以上」は、例えば、１回〜１０回、３回〜７回、３回〜５回である。本発明の形質の導入方法は、種子を収集または収穫する工程を含んでもよい。本発明の形質の導入方法は、上記の方法により生産された種子、および種子を生育させることによって得られる植物または植物個体の部分を提供してもよい。
【００９６】
＜導入遺伝子の導入方法＞
本発明は、少なくとも１つの新しい特性または形質を含む、寄託系統に由来する植物を生産する方法を提供する。本発明の導入遺伝子の導入方法は、例えば、新たな形質が導入されたブロッコリ植物の生産方法ということもできる。
【００９７】
本発明の導入遺伝子の導入方法は、例えば、少なくとも１つの新しい形質を付与する突然変異または導入遺伝子を寄託系統の植物に導入する工程を含む。前記変異または導入遺伝子の導入は、例えば、前記後代系統における変異または導入遺伝子の導入と同様にして実施できる。前記導入工程により取得された、または取得可能なブロッコリ植物は、前記寄託系統の本質的にすべての生理学的および形態学的特徴のすべてを有してもよい。前記「本質的にすべての生理学的および形態学的特徴」は、前記後代系統の説明において、「後代系統」を「前記導入工程により取得された、または取得可能なブロッコリ植物」に読み替えて、その説明を援用できる。本発明の導入遺伝子の導入方法は、種子を収集または収穫する工程を含んでもよい。本発明の導入遺伝子の導入方法は、上記の方法により生産された種子、および種子を生育させることによって得られる植物または植物個体の部分を提供してもよい。前記新たな形質は、例えば、コナガ耐虫性、ヨトウ耐虫性、LSL（ステイグリーン、エチレン非感受）、弱光下でも緑着色する形質（隠れた部分も緑に着色する）等があげられる。
【００９８】
＜ブロッコリ植物の再生体および再生方法＞
本発明は、寄託系統の細胞培養物、組織培養物、またはプロトプラストから再生されたブロッコリ植物（以下、「再生体」という）を提供する。本発明は、再生可能な細胞の細胞培養物もしくは組織培養物、または寄託系統のブロッコリ植物に由来するプロトプラストを提供してもよい。前記細胞、組織またはプロトプラストは、葉、花粉、胚、子葉、胚軸、分裂組織細胞、根、根端、葯、花、種子または幹を含む組織に由来してもよい。
【００９９】
本発明は、寄託系統のブロッコリ植物の増殖または繁殖の方法を提供する。前記寄託系統のブロッコリ植物の繁殖は、前記寄託系統のブロッコリ植物の栄養繁殖であってもよい。この場合、本発明のブロッコリ植物の再生方法は、例えば、（ａ）寄託系統の植物から増殖することができる組織を収集する工程と、（ｂ）前記組織を培養して増殖したシュート（shoot）を取得する工程と、（ｃ）前記増殖したシュートを発根させ、発根した小植物（plantlet）を取得する工程とを含む。本発明のブロッコリ植物の再生方法は、さらに、（ｄ）任意に、発根した小植物から植物を生育させる工程を含んでもよい。前記栄養繁殖の方法は、例えば、下記参考文献１０および１１を参照できる。本発明の再生方法は、例えば、上記の方法により再生（生産）された小植物、植物または植物個体の部分を提供してもよい。前記植物は、前記寄託系統の本質的にすべての生理学的および形態学的特徴のすべてを有してもよい。前記「本質的にすべての生理学的および形態学的特徴」は、前記後代系統の説明において、「後代系統」を「再生された植物」に読み替えて、その説明を援用できる。
参考文献１０：Habtamu Gudisa Megersa, “Propagation Methods of Selected Horticultural Crops by Specialized Organs: Review”, Journal of Horticulture, 2017, Volume 4, Issue 2, 1000198
参考文献１１：Nitish Kumar et.al., “In vitro Plant Propagation: A Review”, Journal of Forest Science, 2011, Vol. 21, No. 2, pp. 61-72
【０１００】
＜ブロッコリ植物の収穫物および加工品＞
本発明は、寄託系統または後代系統の収穫物および／または加工品を提供する。
前記収穫物は、植物全体または植物個体の部分であり、好ましくは、花らいまたは種子を含む。
【０１０１】
前記収穫物が花らいである場合、前記収穫物は、前記花らいに加えて前記花らいの直下の茎を含んでもよい。収穫される茎の長さは、例えば、約１〜２０ｃｍ、約７〜１５ｃｍである。前記収穫物が花らいである場合、前記花らいは、複数の花らいを束ねたものでもよい。
【０１０２】
前記加工品は、前記寄託系統または後代系統を処理した任意の製品が含まれる。前記処理は、特に制限されず、例えば、カット、スライス、粉砕（ground）、ピューレ、乾燥、缶詰、瓶詰め、洗浄、包装、冷凍および／または加熱処理等があげられる。前記寄託系統または後代系統において、前記加工品に用いられる植物または植物個体の部分は、例えば、花らいである。前記加工品は、例えば、前記寄託系統または後代系統を洗浄し、包装したものでもよい。前記加工品は、例えば、任意のサイズまたは形状の容器に収納されてもよい。前記容器の具体例としては、バッグ、箱、カートン（carton）等があげられる。前記カットは、例えば、頂花らいを小花らいにカットするフローレット加工があげられる。
【０１０３】
本発明は、１つまたは複数のブロッコリ植物を含む容器を提供してもよい。前記容器は、植物全体または植物個体の部分、好ましくは、花らいを含む。
【０１０４】
本発明は、ブロッコリ植物を食品として製造する方法（食品の製造方法）を提供してもよい。本発明の食品の製造方法は、例えば、前記寄託系統または後代系統の植物全体または植物個体の部分、好ましくは、前記寄託系統または後代系統の花らいを収集または収穫する工程を含む。また、本発明の食品の製造方法は、前記寄託系統または後代系統のブロッコリ植物が成熟するまで栽培する工程を含む。。
【０１０５】
＜遺伝子型の決定方法＞
本発明は、寄託系統または後代系統の遺伝子型を決定または検出する方法を提供する。本発明の遺伝子型の決定方法は、例えば、（ａ）寄託系統または後代系統から核酸サンプルを入手する工程と、（ｂ）核酸サンプル中のゲノムを検出する工程とを含む。前記（ａ）工程において、前記寄託系統または後代系統からの核酸の調製方法は、組織から核酸を調製する一般的な核酸の調製方法を用いて実施できる。前記（ｂ）工程では、例えば、前記核酸サンプル中のゲノムにおける多型および／またはアリルを検出する。前記多型および／またはアリルの検出は、例えば、ＳＮＰ（一塩基多型）ジェノタイピング、増幅断片長多型検出（AFLP）、ゲノムＤＮＡの制限酵素断片長多型識別（RFLP）、ゲノムＤＮＡのsequence-characterized amplified region detection (SCAR)、ゲノムＤＮＡのcleaved amplified polymorphic sequence detection (CAPS)、ゲノムＤＮＡのrandom amplified polymorphic detection (RAPD)、ポリメラーゼ連鎖反応（PCR）、ＤＮＡシーケンス、対立遺伝子特異的オリゴヌクレオチド（allele specific oligonucleotide 、ASO）プローブ、またはＤＮＡマイクロアレイ等を用いて実施できる。前記多型および／またはアリルの検出は、例えば、前記ゲノムの塩基配列をシークエンスすることにより実施してもよいし、前述のように、寄託系統のＳＮＰを参照して実施してもよい。前記(ｂ)工程では、前記ゲノムＤＮＡにおける１つの多型および／またはアリルを検出してもよいし、２つ以上の多型および／またはアリルを検出してもよい。本発明の遺伝子型の決定方法は、多型および／またはアリル（対立遺伝子）の検出結果をコンピュータ可読媒体に保存する工程を含んでもよい。本発明は、そのような方法によって生成されたコンピュータ可読媒体を提供してもよい。
【０１０６】
本発明の遺伝子型の決定方法は、例えば、前記寄託系統または前記後代系統に代えて、任意のブロッコリ植物（対象ブロッコリ植物）に対して実施してもよい。この場合、本発明の遺伝子型の決定方法は、例えば、さらに、前記（ｂ）工程の結果に基づき、前記対象ブロッコリ植物が、前記後代系統であるかを判定する工程を含んでもよい。前記判定は、例えば、判別、推定、鑑定、または鑑別ということもできる。前記判定は、例えば、前記（ｂ）工程の結果と、前記寄託系統の遺伝子型との一致率に基づき判断できる。
【実施例】
【０１０７】
以下、実施例を用いて本発明を詳細に説明するが、本発明は実施例に記載された態様に限定されるものではない。
【０１０８】
［実施例１］
寄託系統のブロッコリ植物を育種し、その特性および形質と、寄託系統が有する多型を確認した。
【０１０９】
（１）寄託系統の育種
２００７年に、葉数が多く栽培が安定するブロッコリ系統（タキイ種苗社製）に、低温期での生育が比較的旺盛でアントシアン着色が無いブロッコリ系統（タキイ種苗社製）を交雑し、Ｆ１世代を得た。２００８年に、前記Ｆ１世代を自殖し、得られたＦ２世代について、生育の安定性、花らいの形状、花らいの色などに着目して選抜し、自殖した。以後同様に、選抜と自殖を繰り返し、Ｆ７世代を取得した。２０１３年にＦ７世代となったところで目標の形質が固定したと判断し、育成を終了とした。
【０１１０】
Ｆ７  １００株を試験場（愛知県田原市大久保町佐藤）において、２０１３年８月２日に播種後、栽培し、Ｆ７において特性のばらつきがないことを確認し、育種されたブロッコリ品種が均一性および安定性を有していることを確認した。そして、Ｆ７世代を自殖し、得られたＦ８世代の種子を、受託番号ＦＥＲＭ  ＢＰ−２２３９３として、NITE-IPODに寄託した。
【０１１１】
（２）寄託系統の形質
Ｆ７の植物個体の特性および形質について、ＭＡＦＦが発行しているブロッコリ変種の審査基準にしたがって評価した。また、Ｆ７の植物個体の特性および形質について、前述の形質番号４０〜４２の評価基準に基づき、評価した。この結果を下記表３Ａ〜Ｃに示す。なお、寄託系統についても同様の形質を示すことを確認している。また、Ｆ７系統の収穫期の写真を、図６に示す。図６において、（Ａ）は、Ｆ７の栽培区の全景を示す写真であり、（Ｂ）は、Ｆ７の植物の全体を示す写真である。
【０１１２】
【表３Ａ】
0006860736.tif 000026
【０１１３】
【表３Ｂ】
0006860736.tif 000027
【０１１４】
【表３Ｃ】
0006860736.tif 000028
【０１１５】
（３）寄託系統のＳＮＰマーカー
寄託系統および下記の市販のブロッコリ品種について、前記表２Ａ〜Ｕに記載のＳＮＰの解析を行なった。この結果を、下記表４Ａ〜Ｇに示す。下記表４Ａ〜Ｇに示すように、ＳＮＰ７、ＳＮＰ８、ＳＮＰ２０、ＳＮＰ２１、ＳＮＰ７５、ＳＮＰ７８、ＳＮＰ８１、ＳＮＰ８４、ＳＮＰ９０、ＳＮＰ１４２、ＳＮＰ１６５、およびＳＮＰ１７７が寄託系統特有のＳＮＰであり、これらのＳＮＰのうち１つまたは複数を組合せることにより、後代系統を識別できることがわかった。なお、Ｆ７についても同様のＳＮＰを示すことを確認している。また、表中において、Ａは、ＡのＳＮＰのホモ接合型、Ｈは、ＡのＳＮＰと、ＢのＳＮＰとのヘテロ接合型、Ｂは、ＢのＳＮＰのホモ接合型であることを示し、chrは、染色体番号を示し、cMは、センチモルガンを示す。
（タキイ種苗社製）
シャスター、エルデ、ハイツＳＰ、フォレスト、TBR-449、キャッスル、グリーンフェイス、メガドーム
（サカタのタネ社製）
ピクセル、ＳＫ９−０９９、グリーンキャノン、グランドーム、ハートランド、DESTINY、Gypsy、Emerald Crown、Marathon、Avenger、Imperial
（ブロリード社製）
すばる、ファイター
（ナスコ社製）
しき緑９６号
（みかど協和社製）
スピードドーム０５２
（Seminis社製）
IRONMAN
【０１１６】
【表４Ａ】
0006860736.tif 000029
【表４Ｂ】
0006860736.tif 000030
【表４Ｃ】
0006860736.tif 000031
【表４Ｄ】
0006860736.tif 000032
【表４Ｅ】
0006860736.tif 000033
【表４Ｆ】
0006860736.tif 000034
【表４Ｇ】
0006860736.tif 000035
【０１１７】
以上、実施形態および実施例を参照して本発明を説明したが、本発明は、上記実施形態および実施例に限定されるものではない。本発明の構成や詳細には、本発明のスコープ内で当業者が理解し得る様々な変更をすることができる。
【０１１８】
＜付記＞
上記の実施形態および実施例の一部または全部は、以下の付記のように記載されうるが、以下には限られない。
（付記１）
受託番号ＦＥＲＭ  ＢＰ−２２３９３で特定されるブロッコリ植物またはその後代系統を含む、ブロッコリ植物。
（付記２）
前記後代系統は、受託番号ＦＥＲＭ  ＢＰ−２２３９３で特定されるブロッコリ植物のアレルを５０％以上含む、ブロッコリ植物。
（付記３）
前記後代系統は、受託番号ＦＥＲＭ  ＢＰ−２２３９３で特定されるブロッコリ植物のアレルを５０％以上含み、
前記後代系統は、下記（１）〜（１０）の形質を有する、ブロッコリ植物：
（１）葉身のアントシアニン着色が無い；
（２）葉柄のアントシアニン着色が無い；
（３）花らい球のアントシアニン着色が弱い；
（４）葉の数が多い；
（５）茎の長さが短い；
（６）花らい球のしまりが固い；
（７）葉の切れ込みが多い；
（８）葉の切れ込みが深い；
（９）収穫期が晩生である；
（１０）自家不和合性遺伝子として、ＳＲＫ１８遺伝子およびＳＬＧ１８遺伝子を有する。
（付記４）
前記後代系統は、受託番号ＦＥＲＭ  ＢＰ−２２３９３で特定されるブロッコリ植物のアレルを５０％以上含み、
前記後代系統は、ＳＮＰ７、ＳＮＰ８、ＳＮＰ２０、ＳＮＰ２１、ＳＮＰ７５、ＳＮＰ７８、ＳＮＰ８１、ＳＮＰ８４、ＳＮＰ９０、ＳＮＰ１４２、ＳＮＰ１６５、およびＳＮＰ１７７からなる群から選択された少なくとも１つのＳＮＰを含む、ブロッコリ植物。
（付記５）
前記ブロッコリ植物は、植物体またはその部分である、付記１から４のいずれかに記載のブロッコリ植物。
（付記６）
前記ブロッコリ植物は、種子である、付記１から５のいずれかに記載のブロッコリ植物。
（付記７）
第１のブロッコリ植物と、第２のブロッコリ植物とを交雑する交雑工程を含み、
前記第１のブロッコリ植物は、付記１から６のいずれかに記載のブロッコリ植物である、ブロッコリ植物の製造方法。
（付記８）
ブロッコリ品種Ｔａｋｉｉ１２の種子であり、
代表的なサンプルが、受託番号ＦＥＲＭ  ＢＰ−２２３９３で寄託されているブロッコリ植物の種子である、種子。
（付記９）
ブロッコリ品種Ｔａｋｉｉ１２のブロッコリ植物であり、
代表的なサンプルが、受託番号ＦＥＲＭ  ＢＰ−２２３９３で寄託されているブロッコリ植物の種子である、ブロッコリ植物。
（付記１０）
ブロッコリ植物またはその部分であり、
前記ブロッコリ植物またはその部分は、付記９記載のブロッコリ植物の本質的にすべての生理学的および形態学的特徴を有する、ブロッコリ植物またはその部分。
（付記１１）
付記９記載のブロッコリ植物の後代ブロッコリ植物であり、
前記後代ブロッコリ植物は、付記９記載のブロッコリ植物の少なくとも５０％のアレルを含み、
前記後代ブロッコリ植物は、下記（１）〜（１０）の形質を有する、後代ブロッコリ植物：
（１）葉身のアントシアニン着色が無い；
（２）葉柄のアントシアニン着色が無い；
（３）花らい球のアントシアニン着色が弱い；
（４）葉の数が多い；
（５）茎の長さが短い；
（６）花らい球のしまりが固い；
（７）葉の切れ込みが多い；
（８）葉の切れ込みが深い；
（９）収穫期が晩生である；
（１０）自家不和合性遺伝子として、ＳＲＫ１８遺伝子およびＳＬＧ１８遺伝子を有する。
（付記１２）
付記１１記載のブロッコリ植物を生産する、種子。
（付記１３）
付記９記載のブロッコリ植物の後代ブロッコリ植物であり、
前記後代ブロッコリ植物は、付記９記載のブロッコリ植物の少なくとも５０％のアレルを含み、
前記後代ブロッコリ植物は、ＳＮＰ７、ＳＮＰ８、ＳＮＰ２０、ＳＮＰ２１、ＳＮＰ７５、ＳＮＰ７８、ＳＮＰ８１、ＳＮＰ８４、ＳＮＰ９０、ＳＮＰ１４２、ＳＮＰ１６５、およびＳＮＰ１７７からなる群から選択された少なくとも１つのＳＮＰを有する、後代ブロッコリ植物。
（付記１４）
付記１３記載のブロッコリ植物を生産する、種子。
（付記１５）
付記９記載のブロッコリ植物の部分。
（付記１６）
付記１５記載の植物の部分であり、
前記植物の部分は、小胞子（microspore）、花粉、子房（ovary）、胚珠、胚嚢、卵細胞、挿し木、根、幹、葉、細胞またはプロトプラストを含む、植物の部分。
（付記１７）
ブロッコリ種子の生産方法であり、
前記方法は、
付記９記載のブロッコリ植物を、自殖または他のブロッコリ植物と交雑し、
得られた種子を採取（採種）することを含む、方法。
（付記１８）
付記１７記載の方法により生産された、ブロッコリ植物由来のブロッコリ種子。
（付記１９）
付記１８記載のブロッコリ種子を育てることにより生産された、ブロッコリ植物またはその部分。
（付記２０）
付記１９記載のブロッコリ植物またはその部分であって、
前記ブロッコリ植物またはその部分は、代表的なサンプルが、受託番号ＦＥＲＭ  ＢＰ−２２３９３で寄託されているブロッコリ植物の種子である、ブロッコリ品種Ｔａｋｉｉ１２の少なくとも５０％のアレルを含み、
前記ブロッコリ植物またはその部分は、下記（１）〜（１０）の形質を有する、ブロッコリ植物またはその部分：
（１）葉身のアントシアニン着色が無い；
（２）葉柄のアントシアニン着色が無い；
（３）花らい球のアントシアニン着色が弱い；
（４）葉の数が多い；
（５）茎の長さが短い；
（６）花らい球のしまりが固い；
（７）葉の切れ込みが多い；
（８）葉の切れ込みが深い；
（９）収穫期が晩生である；
（１０）自家不和合性遺伝子として、ＳＲＫ１８遺伝子およびＳＬＧ１８遺伝子を有する。
（付記２１）
付記１９記載のブロッコリ植物またはその部分であって、
前記ブロッコリ植物またはその部分は、代表的なサンプルが、受託番号ＦＥＲＭ  ＢＰ−２２３９３で寄託されているブロッコリ植物の種子である、ブロッコリ品種Ｔａｋｉｉ１２の少なくとも５０％のアレルを含み、
前記ブロッコリ植物またはその部分は、ＳＮＰ７、ＳＮＰ８、ＳＮＰ２０、ＳＮＰ２１、ＳＮＰ７５、ＳＮＰ７８、ＳＮＰ８１、ＳＮＰ８４、ＳＮＰ９０、ＳＮＰ１４２、ＳＮＰ１６５、およびＳＮＰ１７７からなる群から選択された少なくとも１つのＳＮＰを有する、ブロッコリ植物またはその部分。
（付記２２）
付記１９記載のブロッコリ植物またはその部分であって、
前記ブロッコリ植物またはその部分は、代表的なサンプルが、受託番号ＦＥＲＭ  ＢＰ−２２３９３で寄託されているブロッコリ植物の種子である、ブロッコリ品種Ｔａｋｉｉ１２の本質的にすべての生理学的および形態学的特徴を有する、ブロッコリ植物またはその部分。
（付記２３）
付記２０記載のブロッコリ植物またはその部分であって、
前記ブロッコリ植物またはその部分は、１以上の形質が改変されている、ブロッコリ植物またはその部分。
（付記２４）
付記２３記載のブロッコリ植物またはその部分であって、
前記改変は、突然変異誘発により行われる、ブロッコリ植物またはその部分。
（付記２５）
付記９記載のブロッコリ植物由来のブロッコリ植物の種子を生産する方法であって、
前記方法は、
（ａ）受託番号ＦＥＲＭ  ＢＰ−２２３９３で寄託されているブロッコリ植物の種子である、ブロッコリ品種Ｔａｋｉｉ１２を、別のブロッコリ植物と交雑し、種子を生産し、
（ｂ）前記（ａ）工程の種子からブロッコリ植物を育て、ブロッコリ品種Ｔａｋｉｉ１２由来のブロッコリ植物を生産し、
（ｃ）前記（ｂ）工程のブロッコリ植物を、自殖または別のブロッコリ植物と交雑し、ブロッコリ品種Ｔａｋｉｉ１２由来の追加のブロッコリ植物を生産し、
（ｄ）任意に（ｂ）および（ｃ）工程を１回以上繰り返し、ブロッコリ品種Ｔａｋｉｉ１２由来のブロッコリ植物をさらに生産し、前記（ｂ）工程におけるブロッコリ植物は、前記（ｃ）工程の追加のブロッコリ植物から生育する、
ことを含む、方法。
（付記２６）
付記２５記載の方法により生産される種子であり、
前記種子は、付記９記載のブロッコリ植物の少なくとも５０％のアレルを含み、
前記種子から育つブロッコリ植物は、下記（１）〜（１０）の形質を有する、種子：
（１）葉身のアントシアニン着色が無い；
（２）葉柄のアントシアニン着色が無い；
（３）花らい球のアントシアニン着色が弱い；
（４）葉の数が多い；
（５）茎の長さが短い；
（６）花らい球のしまりが固い；
（７）葉の切れ込みが多い；
（８）葉の切れ込みが深い；
（９）収穫期が晩生である；
（１０）自家不和合性遺伝子として、ＳＲＫ１８遺伝子およびＳＬＧ１８遺伝子を有する。
（付記２７）
付記２６記載のブロッコリ植物の種子を育てることにより生産される、ブロッコリ植物。
（付記２８）
付記２５記載の方法により生産される種子であり、
前記種子は、付記９記載のブロッコリ植物の少なくとも５０％のアレルを含み、
前記種子から育つブロッコリ植物は、ＳＮＰ７、ＳＮＰ８、ＳＮＰ２０、ＳＮＰ２１、ＳＮＰ７５、ＳＮＰ７８、ＳＮＰ８１、ＳＮＰ８４、ＳＮＰ９０、ＳＮＰ１４２、ＳＮＰ１６５、およびＳＮＰ１７７からなる群から選択された少なくとも１つのＳＮＰを有する、種子。
（付記２９）
付記２８記載のブロッコリ植物の種子を育てることにより生産される、ブロッコリ植物。
（付記３０）
付記９記載のブロッコリ植物に、少なくとも１つの新たな形質を導入する方法であり、
前記方法は、
（ａ）受託番号ＦＥＲＭ  ＢＰ−２２３９３で寄託されているブロッコリ植物の種子である、ブロッコリ品種Ｔａｋｉｉ１２を、少なくとも１つの新たな形質を有するブロッコリ植物と交雑し、後代を生産し、
（ｂ）少なくとも１つの新しい形質を含む後代を選抜し、
（ｃ）前記後代を、ブロッコリ品種Ｔａｋｉｉ１２と交雑し、戻し交雑後代を生産し、
（ｄ）少なくとも１つの新しい形質を含み、ブロッコリ品種Ｔａｋｉｉ１２の本質的にすべての生理学的および形態学的特徴を有する戻し交雑後代を選抜し、
（ｅ）任意に、前記（ｃ）工程および（ｄ）工程を１回以上繰り返し、少なくとも１つの新しい形質を含み、ブロッコリ品種Ｔａｋｉｉ１２の本質的にすべての生理学的および形態学的特徴を有するブロッコリ植物を生産し、前記（ｃ）工程におけるブロッコリ植物は、前記（ｄ）工程の選抜された戻し交雑後代である、
ことを含む、方法。
（付記３１）
付記３０記載の方法により生産された、ブロッコリ植物。
（付記３２）
少なくとも１つの新たな形質を含むブロッコリ品種Ｔａｋｉｉ１２に由来するブロッコリ植物の生産方法であり、
前記方法は、
受託番号ＦＥＲＭ  ＢＰ−２２３９３で寄託されているブロッコリ植物の種子である、ブロッコリ品種Ｔａｋｉｉ１２に、少なくとも１つの形質を付与する突然変異または導入遺伝子を導入する、
ことを含む、方法。
（付記３３）
付記３２記載の方法により生産された、ブロッコリ植物。
（付記３４）
食品として、ブロッコリの花らいを生産する方法であり、
前記方法は、
付記９記載のブロッコリ植物の花らいまたは前記花らいおよび茎を収穫する、
ことを含む、方法。
（付記３５）
付記９記載のブロッコリ植物の加工品であり、
前記加工品は、カット、スライス、粉砕（ground）、ピューレ、乾燥、缶詰、瓶詰め、洗浄、包装、冷凍および／または加熱処理された花らいを含む、
加工品。
（付記３６）
付記９記載のブロッコリ植物またはその後代系統の遺伝子型を決定する方法であり、
前記方法は、
（ａ）付記９記載のブロッコリ植物またはその後代系統から核酸サンプルを取得し、
（ｂ）前記核酸サンプルにおける多型を検出する、
ことを含む、方法。
（付記３７）
付記９記載のブロッコリ植物由来の再生可能な細胞またはプロトプラストの培養組織（tissue culture）。
（付記３８）
付記３７記載の培養組織であり、
前記細胞またはプロトプラストは、葉、花粉、胚、子葉、胚軸、分裂組織細胞（meristematic cell）、根、根端、葯、花、種子または茎に由来する、
培養組織。
（付記３９）
付記３８記載の培養組織から再生された、ブロッコリ植物。
（付記４０）
付記３９記載のブロッコリ植物であり、
前記ブロッコリ植物は、受託番号ＦＥＲＭ  ＢＰ−２２３９３で寄託されているブロッコリ植物の種子である、ブロッコリ品種Ｔａｋｉｉ１２の本質的にすべての生理学的および形態学的特徴を有する、
ブロッコリ植物。
（付記４１）
付記９記載のブロッコリ植物を栄養繁殖する方法であり、
前記方法は、
（ａ）受託番号ＦＥＲＭ  ＢＰ−２２３９３で寄託されているブロッコリ植物の種子である、ブロッコリ品種Ｔａｋｉｉ１２のブロッコリ植物から繁殖可能な組織を回収し、
（ｂ）前記組織を培養し、増殖したシュート（shoot）を取得し、
（ｃ）前記増殖したシュートを発根させ、発根した小植物（plantlet）を取得し、
（ｄ）任意に、前記発根した小植物から、植物を生育する、
ことを含む、方法。
（付記４２）
付記４１記載の方法により生産されるブロッコリ小植物または植物であり、
前記ブロッコリ小植物または植物は、受託番号ＦＥＲＭ  ＢＰ−２２３９３で寄託されているブロッコリ植物の種子である、ブロッコリ品種Ｔａｋｉｉ１２の本質的にすべての生理学的および形態学的特徴を有する、
ブロッコリ小植物または植物。
（付記４３）
受託番号ＦＥＲＭ  ＢＰ−２２３９３で特定されるブロッコリ植物を含む、ブロッコリ植物。
（付記４４）
付記４３記載のブロッコリ植物の後代系統を含み、
前記後代系統は、下記（１）〜（１０）の形質を有する、ブロッコリ植物：
（１）葉身のアントシアニン着色が無い；
（２）葉柄のアントシアニン着色が無い；
（３）花らい球のアントシアニン着色が弱い；
（４）葉の数が多い；
（５）茎の長さが短い；
（６）花らい球のしまりが固い；
（７）葉の切れ込みが多い；
（８）葉の切れ込みが深い；
（９）収穫期が晩生である；
（１０）自家不和合性遺伝子として、ＳＲＫ１８遺伝子およびＳＬＧ１８遺伝子を有する。
（付記４５）
付記４３または４４記載のブロッコリ植物の雑種第１代系統を含む、ブロッコリ植物。
（付記４６）
前記ブロッコリ植物は、植物体またはその部分である、付記４３から４５のいずれか一項に記載のブロッコリ植物。
（付記４７）
前記ブロッコリ植物は、種子である、付記４３から４６のいずれか一項に記載のブロッコリ植物。
（付記４８）
付記４３から４７のいずれかに記載のブロッコリ植物を自殖させる自殖工程を含む、ブロッコリ植物の製造方法。
（付記４９）
付記４３から４７のいずれかに記載のブロッコリ植物と、他のブロッコリ植物とを交雑する交雑工程を含む、ブロッコリ植物の製造方法。
（付記５０）
種子を採種する採種工程を含む、付記４８または４９記載のブロッコリ植物の製造方法。
【産業上の利用可能性】
【０１１９】
以上のように、本発明によれば、新たなブロッコリ植物を提供できる。このため、本発明は、例えば、育種等の農業分野において極めて有用である。
【要約】      （修正有）【課題】新たなブロッコリ品種を提供する。【解決手段】本発明のブロッコリ植物は、受託番号ＦＥＲＭ  ＢＰ−２２３９３で特定されるブロッコリ植物またはその後代系統を含む。【選択図】なし【図１】
0006860736.tif 000036
【図２】
0006860736.tif 000037
【図３】
0006860736.tif 000038
【図４】
0006860736.tif 000039
【図５】
0006860736.tif 000040
【図６】
0006860736.tif 000041
【配列表】
0006860736000001.app